(57)【特許請求の範囲】
【請求項１】
２台の映像機器によって、直交する直線偏光の投影光になるようにスクリーンに投影し、これを左右眼にそれぞれ対応する偏光方向の直線偏光フィルターを直交するように配した左右のレンズ部で立体映像を見ることができる眼鏡装置であって、
前記左右のレンズ部の前記直線偏光フィルターの直線偏光方向は斜めに、丁度ハの字の形になっていて、前記左右の直線偏光フィルターは、中央の回転中心軸を中心にして回転可能な構成にしたことを特徴とする眼鏡装置。
【請求項２】
前記左右のレンズ部の前記左右の直線偏光フィルターのどちらかを反転させて偏光方向を揃えたときに、その揃えた偏光方向に従った音声を出力するヘッドホンを備えたことを特徴とする請求項１に記載の眼鏡装置。
【発明の詳細な説明】
【０００１】
【発明の属する技術分野】
本発明は、立体映像観察用の眼鏡装置に関するものであり、さらに詳しくは直線偏光方式の立体眼鏡において、スクリーンやディスプレイに映し出される立体映像又は２つの番組の画面表示が可能な場合に、眼鏡を構成する左右のレンズ部の直線偏光フィルターを反転可能な構造にすることで、２つの映像のうち、直線偏光フィルターを反転させるのみで好みの映像を選択できるようにしたヘッドホン付き立体映像観察用の眼鏡装置に関する。
【０００２】
【従来の技術】
従来における表示装置において、２つの番組を２人の人が同時に同一のディスプレイで見ようとする場合は、親子画面やいわゆるダブル画面というように、１つの画面を分割して表示する必要があった。さらに音声については、左のスピーカと右のスピーカとでそれぞれの音を出す等している。
【０００３】
又、ディスプレイ上の画面表示を立体視して見る直線偏光方式の立体眼鏡による映像システムは、図５に示すように、ビデオプロジェクターで構成され、Ｌ（左）、Ｒ（右）に相当する映像を２枚のビデオディスク或いはビデオカセットに納め、これを２台のプレーヤ５０、５１を同時にスタートさせ再生し、Ｌ、Ｒに対応させて直交する偏光（又は円偏光）をかけた２台のビデオプロジェクター５２、５３で同一のスクリーン５５に投影し、これを上記Ｌ、Ｒに対応させて左右で直交させた偏光眼鏡５４により左右の画像を左右の眼で独立に見て立体視する仕組みになっている。
【０００４】
また、ディスプレイ上の画面表示を立体視して見るシャッター方式の立体眼鏡による映像システムは、図６に示すように、ＶＨＤ（Ｖｉｄｅｏ  Ｈｉｇｈ  Ｄｅｎｓｉｔｙ）ビデオディスクを再生して立体視できる構成になっており、ＶＨＤビデオディスクに各フィールド毎のＬ、Ｒ画像を記録し、これをＶＨＤプレーヤ６０で再生して１台のプロジェクター６１でスクリーン６２に映し出すと共に、アダプタ６３を介してＶＨＤプレーヤ６０からの制御でシャッター付眼鏡６４を各フィールド毎に左右交互に遮光することにより、常に左眼にはＬ画像が、右眼にはＲ画像が見えるようにして立体視を実現できる。
【０００５】
【発明が解決しようとする課題】
しかしながら、上記の従来技術における映像は、１つのディスプレイで２つの映像を出しているため本来の映像より小さく、且つ互いに見ないほうの映像の存在が邪魔であった。更に、音声についてもお互いが干渉してしまうと云う問題がある。
【０００６】
又、立体視できる映像システムにおいて、特に立体眼鏡において立体映像を見ている時の音声出力の他に、例えば複数の映像を投影した場合に、選択した映像の音声出力を選択する工夫がなされていないと云う問題点もある。
【０００７】
従って、立体眼鏡は、スクリーンに映し出されている映像を立体映像として見る機能、又は２つの画面表示のうち１つのみ見えるようにした機能の他に、映し出す映像を選択できること、及び選択した映像の音声を出力することに解決しなければならない課題を有している。
【０００８】
【課題を解決するための手段】
上記課題を解決するために、本発明に係る眼鏡装置は、２台の映像機器によって、直交する直線偏光の投影光になるようにスクリーンに投影し、これを左右眼にそれぞれ対応する偏光方向の直線偏光フィルターを直交するように配した左右のレンズ部で立体映像を見ることができる眼鏡装置であって、前記左右のレンズ部の前記直線偏光フィルターの直線偏光方向は斜めに、丁度ハの字の形になっていて、前記左右の直線偏光フィルターは、中央の回転中心軸を中心にして回転可能な構成にしたことである。
又、前記左右のレンズ部の前記左右の直線偏光フィルターのどちらかを反転させて偏光方向を揃えたときに、その揃えた偏光方向に従った音声を出力するヘッドホンを備えたことである。
【０００９】
このように、眼鏡装置のレンズ部は直線偏光方向を変えることができるようになっているため、２台の別々の内容の番組を再生すれば、レンズ部の偏光方向を自由に選択して偏光方向を揃えることにより２つの異なった内容の番組の映像を見ることができ、且つその選択された番組の音声に切換えた音声をヘッドホンに出力することができる。
【００１０】
【発明の実施の形態】
次に本発明に係る眼鏡装置についての種々の実施例について、シャッター方式の立体眼鏡、直線偏光方式の立体眼鏡の順に図面を参照して説明する。尚、従来技術と同一部分には同一符号を付けて説明する。
【００１１】
【００１２】
【００１３】
【００１４】
【００１５】
【００１６】
【００１７】
【００１８】
【００１９】
【００２０】
【００２１】
【００２２】
【００２３】
【００２４】
先ず、シャッター方式の立体眼鏡に係る第１実施例のヘッドホン付き立体映像観察用の眼鏡装置について、図１及び図２を参照して説明する。このヘッドホン付き立体映像観察用の眼鏡装置は、シャッター方式の立体眼鏡であり、シャッターの開閉を電気的に制御して、立体視又は２つの番組の映像を適宜選択して見るシャッター眼鏡を備えている。
【００２５】
ヘッドホン付き立体映像観察用の眼鏡装置は、図１に示すように、シャッターを開閉する信号及び音声を重畳させた赤外線信号をワイヤレスで受信するようにしたものであり、ヘッドホン付き眼鏡装置２と赤外線信号送信装置１３とから構成されている。
【００２６】
ヘッドホン付き眼鏡装置２は、図示されていない回路が内蔵してあるフレーム部６と、このフレーム部６に連結されている柄９Ｌ、９Ｒと、柄９Ｌ、９Ｒの端部から直交する方向に伸び、頭部により眼鏡装置全体を支持する逆Ｕ字型形状のヘッドセット部１６と、このヘッドセット部１６の下部両端に設けたアーム部８Ｌ、８Ｒと、アーム部８Ｌ、８Ｒの下部側に取り付けたヘッドホン７Ｌ、７Ｒとから構成されている。
【００２７】
フレーム部６の前面左右には左右眼の前方位置になるレンズ部１０Ｌ、１０Ｒを設けた構造になっており、このレンズ部１０Ｌ、１０Ｒには液晶シャッターが入っていて、光の通過及び遮断、即ち、開いたり塞いだりできるようになっている。
【００２８】
又、フレーム部６の両側側面には２つの番組のいずれか一方を選択する二番組切換スイッチ１２のノブ１２ｂと、左右ヘッドホン７Ｌ、７Ｒへの音量を調整する音量レベルコントロール１１（図２参照）のノブ１１ｂが設けてある。また、アーム部８Ｌ、８Ｒに取り付けたヘッドホン７Ｌ、７Ｒの反対側には赤外線信号送信装置１３からの赤外線信号を受信する赤外線信号受光部１５Ｌ、１５Ｒを設けた構造となっている。
【００２９】
図２は、ヘッドホン付き眼鏡装置２及び赤外線信号送信装置１３の回路のブロック図であり、赤外線信号送信装置１３には映像信号に同期した信号及び音声信号を入力するマルチプレクサ１３ａと、マルチプレクサ１３ａからの信号を変調する変調器１３ｂと、変調した信号を送出する発光ダイオード１３ｃとから構成されている。
【００３０】
マルチプレクサ１３ａの入力側には、４チャンネル分の音声信号（２つのステレオ音声信号）Ｌ１、Ｒ１及びＬ２、Ｒ２と、レンズ部１０Ｌ、１０Ｒの液晶シャッターの光の通過及び遮断をコントロールするタイミングコントロール信号と、画面表示される映像信号が立体映像用の映像信号であるか、又は２つの番組の映像信号であるかを判別する識別手段であるモード判別信号とを入力するようになっている。
【００３１】
ヘッドホン付き眼鏡装置２の赤外線受光部１５Ｌ、１５Ｒ（図１参照）は、赤外線信号を受光するフォトカプラー１５ａと、この受光した赤外線信号を復調する復調器１５ｂと、復調した信号を分配するデマルチプレクサ１５ｃと、デマルチプレクサ１５ｃで分配された音声信号Ｌ１、Ｒ１、Ｌ２、Ｒ２を受信して切り換える音声切換回路１１ａと、この切り換わった音声信号の音量を調整するノブ１１ｂを備えた音量レベルコントロール１１と、モード判別信号により立体映像又は２つの番組の映像信号の何れか一方の番組を見るようにするコントロール回路１２ａと、コントロール回路１２ａに基づいてレンズ部１０Ｌ、１０Ｒの液晶シャッターの開閉を制御する左右シャッタードライブ回路１０ａ、１０ｂとから構成されている。
【００３２】
又、コントロール回路１２ａは、２つの番組の映像信号からなる２つの画面表示の一方を選択する二番組切換スイッチ１２に接続している。このスイッチ１２は、図１に示すフレーム部６の側面に設けたノブ１２ｂに連結しており、指等で外から操作できるようになっている。
【００３３】
このような回路構造からなるヘッドホン付き立体映像観察用の眼鏡装置において、
先ず、立体映像信号の時には、音声信号Ｌ１、Ｒ１と共に、立体映像用の映像信号であることを示すモード判別信号Ｍが送られてくる。この信号を含んだ赤外線信号が赤外線信号送信装置１３から送出され、ヘッドホン付き眼鏡装置２の赤外線受光部１５Ｌ、１５Ｒ（図１参照）で受信すれば、コントロール回路１２ａにより、左右の耳には音声Ｌ１、Ｒ１がそれぞれ再生されステレオで聴くことができる。
【００３４】
同時に、この時はフィールドシーケンシャルな立体映像用の映像信号がディスプレイ上に映し出されており、この立体映像用の映像信号に同期しているタイミングコントロール信号Ｔ、即ち、立体映像用の映像信号のフィールド周波数に合わせて左右シャッタードライブ回路１０ａ、１０ｂを駆動させ、レンズ部１０Ｌ、１０Ｒの液晶シャッターの光の通過及び遮断を交互に行って立体映像を見ることができる。
【００３５】
次に２つの番組の映像信号の時には、映像については立体映像の左右眼からみた画像のかわりに２つの番組の別々の映像信号がフィールド毎に交互に画面表示されている。
【００３６】
音声信号は、一方の番組の音声信号Ｌ１、Ｒ１に、他方の番組は、音声信号Ｌ２、Ｒ２にそれぞれステレオで送られ、同時に２つの番組の映像信号であることがモード判別信号Ｍにより送られてくる。そして、音声信号及びモード判別信号Ｍ及び画面表示している映像信号に同期しているタイミングコントロール信号Ｔを含んだ赤外線信号が赤外線送信装置１３から送出される。この赤外線信号をヘッドホン付き眼鏡装置２の赤外線受光部１５Ｌ、１５Ｒ（図１参照）で受信すれば、コントロール回路１２ａにより左右シャッタードライブ回路１０ａ、１０ｂを駆動させ、レンズ部１０Ｌ、１０Ｒの液晶シャッターを同時に光の通過及び遮断させることによって、この２つの映像信号のうちの片方のみ両眼で見ることができる。同時に、ヘッドホン７Ｌ、７Ｒからは、切換え手段である二番組切換スイッチ１２によって選択した映像の音声信号（Ｌ１、Ｒ１又はＬ２、Ｒ２）が出力される。
【００３７】
このようにして、二番組切換スイッチ１２は、立体映像用の映像信号の時には、働かないが、２つの番組の入った映像信号の時には、このスイッチ１２を操作することにより２つの番組のうちどちらかを見ることと、選んだ映像の音声を自動的に選ぶことができるのである。
【００３８】
次に、本発明に係る第２実施例のヘッドホン付き立体映像観察用の眼鏡装置について、図３及び図４を参照して説明する。この立体映像観察用の眼鏡装置は、直線偏光方式の立体眼鏡であり、直接偏光フィルターを回転させて直交する方向又は同一方向に偏光できる構造になっている。
【００３９】
ヘッドホン付き立体映像観察用の眼鏡装置は、図３に示すように、音声信号等を重畳させた赤外線信号をワイヤレスで受信するようにしたものであり、ヘッドホン付き眼鏡装置２と赤外線信号送信装置１３とから構成されている。この赤外線信号送信装置１３は、上記第１実施例の赤外線信号送信装置１３と同じ構成になっているがこれに限定されない。
【００４０】
ヘッドホン付き眼鏡装置２は、図示されていない回路が内蔵してあるフレーム部６と、このフレーム部６に連結されている柄９Ｌ、９Ｒと、柄９Ｌ、９Ｒの端部から直交する方向に伸び、頭部により眼鏡装置全体を支持する逆Ｕ字型形状のヘッドセット部１６と、このヘッドセット部１６の下部両端に設けたアーム部８Ｌ、８Ｒと、アーム部８Ｌ、８Ｒの下部側に取り付けたヘッドホン７Ｌ、７Ｒとから構成されている。このヘッドホン７Ｌ、７Ｒの外側であってアーム部８Ｌ、８Ｒの下部側には赤外線信号送信装置１３からの赤外線信号を受信する赤外線信号受光部１５Ｌ、１５Ｒを設けた構造となっている。尚、赤外線信号による送受信については省略する。
【００４１】
フレーム部６の前面左右には左右眼の前方位置になるレンズ部１０Ｌ、１０Ｒを設けた構造になっている。
【００４２】
このレンズ部１０Ｌ、１０Ｒは、シャッターではなく、直線偏光フィルター１０ａが入っており、左右の直線偏光フィルター１０ａの直線偏光方向は斜めに、丁度ハの字の形になっている。そして、それぞれの直線偏光フィルター１０ａは、中央の回転中心軸１７を中心にして回転可能な構造になっている。検出器１９は上下について突起１８の位置を検出することにより、直線偏光フィルター１０ａの直線偏光方向を検出する仕組みになっている。この直線偏光フィルター１０ａの回転方向を検出する回路構成については省略する。
【００４３】
図４は、この直線偏光フィルターを備えた眼鏡装置２で立体映像を見るようにした映像システムであり、通常の立体映像の場合は、２台のビデオディスクプレーヤ５０、５１を用いてＬ（左）、Ｒ（右）の映像を収めた２枚のディスクを同時に再生し、これを２台の映像機器であるビデオプロジェクター５２、５３によって直交する直線偏光の投影光になるようにして、スクリーン５５に投影し、これを左右眼にそれぞれ対応する偏光方向の直線偏光板を入れた眼鏡装置２で見る。
【００４４】
ここで本発明の立体眼鏡は直線偏光方向を変えることができるようになっているため、２台の別々の内容のディスクを再生すれば、見る人は図４のように眼鏡の偏光方向を自由に選択して偏光方向を揃えることにより２つの異なった内容の番組の映像を見ることができ、且つその一つを選択すると、選択した番組の音声に切り換え、ヘッドホン（７Ｒ）、７Ｌに出力する。
【００４５】
即ち、直線偏光フィルター１０ａの偏光方向は、ハの字の形になっていれば、立体映像を見ることができ、どちらかを回転させて左右の直線偏光フィルタ１０ａとも右上がり方向の直線偏光方向か、又は左右とも右下がり方向の直線偏光方向にすれば、２つの番組のどちらかの映像を見ることができる。従って、２つの番組の映像信号を見るときには、左右レンズ部１０Ｌ、１０Ｒの直線偏光フィルター１０ａを同じ方向になるように回転させればよい。
【００４６】
【００４７】
【００４８】
【００４９】
【００５０】
【００５１】
【００５２】
【００５３】
【００５４】
【００５５】
【００５６】
【００５７】
【００５８】
【発明の効果】
上記説明したように本発明に係る眼鏡装置は、眼鏡装置のレンズ部は直線偏光方向を変えることができるようになっているため、２台の別々の内容の番組を再生すれば、レンズ部の偏光方向を自由に選択して偏光方向を揃えることにより２つの異なった内容の番組を選択して見ることができ、且つその選択された番組の音声に切換えた音声をヘッドホンに出力することができるという効果がある。
【図面の簡単な説明】
【図１】  第１実施例のヘッドホン付き立体映像観察用の眼鏡装置の全体斜視図である。
【図２】  同、立体映像観察用の眼鏡装置の回路のブロック図である。
【図３】  本発明に係る第２実施例のヘッドホン付き立体映像観察用の眼鏡装置の全体斜視図である。
【図４】  同、第２実施例のシャッター眼鏡により映像を見ている映像システムの略示的な全体斜視図である。
【図５】  先行技術の２つのビデオプロジェクターにより立体視する映像システムの略示的全体斜視図である。
【図６】  先行技術の１つのビデオプロジェクターにより左右眼のシャッターを交互に開閉して立体視する映像システムの略示的全体斜視図である。    
【符号の説明】
１；ヘッドホン付き立体映像観察用の眼鏡装置、２；ヘッドホン付き眼鏡装置、６；フレーム部、７Ｌ、７Ｒ；ヘッドホン、８Ｌ、８Ｒ；アーム部、９Ｌ、９Ｒ；柄、１０Ｌ、１０Ｒ；レンズ部、１０ａ；シャッタードライブ回路、１０ｂ；シャッタードライブ回路、１１；音量調節つまみ、１１ａ；ノブ、１１ｂ；ノブ、１２；映像音声切り換えスイッチ、１２ａ；コントロール回路、１２ｂ；ノブ、１３；赤外線信号送信装置、１３ａ；マルチプレクサ、１３ｂ；変調器、１３ｃ；発光ダイオード、１４；赤外線発光部、１５Ｌ、１５Ｒ；受光部、１５ａ；フォトカプラー、１５ｂ；復調器、１５ｃ；デマルチプレクサ、１６；ヘッドセット部、１７；中央回転中心軸、１８；突起、１９；検出器、５０；ビデオディスクプレーヤ、５１；ビデオディスクプレーヤ、５２；ビデオプロジェクター、５３；ビデオプロジェクター、５５；スクリーン。
【図１】
0003787822.tif 000002
【図２】
0003787822.tif 000003
【図３】
0003787822.tif 000004
【図４】
0003787822.tif 000005
【図５】
0003787822.tif 000006
【図６】
0003787822.tif 000007